(57)【要約】      （修正有）【課題】カバー付きキーホルダーに装着して、キーが脱落しにくいキーリングを提供する。【解決手段】細長い形状のキーリングは、第１回巻き部１ａと第２回巻き部１ｂが隣り合い、第１回巻き部１ａと第２回巻き部１ｂは連続部１ｃを介して連続し、第１回巻き部１ａと第２回巻き部１ｂとが連続部１ｃを介して互いに弾性的に引かれ接触していることを特徴とする。キーリングにキーを取付けるときは、巻き端部１ｄを摘み、キーヘッド開口部に巻き端部１ｄを挿入し、第１回巻き部１ａと第２回巻き部１ｂとの間にできる隙間を連続部１ｃまで滑らせることにより取付ける。【選択図】図１
0003121635.tif 000002
【実用新案登録請求の範囲】
【請求項１】
弾性を有し、その横断面が円形である針金状の弾性材を、ほぼ二重に巻いた細長い形状のリング状であって、第１回巻き部１ａと第２回巻き部１ｂが隣り合い、第１回巻き部１ａと第２回巻き部１ｂが連続部１ｃを介して連続し、互いに弾性的に引かれ接触していることを特徴とするキーリング。
【請求項２】
針金状の弾性材の巻き回数の第１回巻き部２ａから第２回巻き部２ｂへの移行が屈曲部２ｃを介して連続し、キーリングの高さ２ｈが針金状弾性材の直径の２倍であることを特徴とする請求項１記載のキーリング。
【請求項３】
針金状の弾性材の巻き回数が、１．５回以上２．５回以下であることを特徴とする請求項１記載のキーリング。
【請求項４】
針金状の弾性材の横断面が三角形、四角形、その他の多角形であることを特徴とする請求項１〜請求項３記載のキーリング。
【請求項５】
針金状の弾性材の表面に任意に模様を付した請求項１〜請求項４記載のキーリング。
【考案の詳細な説明】
【技術分野】
【０００１】  本考案は、細長い形状のリング状で構造が簡単なキーリングであって、カバー付きキーホルダーへの装着した場合、キーが脱落しにくいキーリングに関する。
【背景技術】
【０００２】  一般に、カバー付きキーホルダーにキーを取付けるには、キー取付けフック（例えば特許文献１、又は、特許文献２参照）が利用される例があった。また、カバー無しキーホルダー（以下キーホルダーと言う）にキーを取付けるには、円形のキーリング（例えば特許文献３参照）が利用される例があった。一方、細長い形状のリング状の例としてゼムクリップ（例えば特許文献４参照）があった。
【特許文献１】  特開２００３−５２５２３
【特許文献２】  特許第３５９１７１５号
【特許文献３】  特表２００５−５２９６６０
【特許文献４】  実用新案登録第３１１６７６７号
【考案の開示】
【考案が解決しようとする課題】
【０００３】  これらには次のような欠点があった。
図６に示すキー取付けフック（特許文献１の例）をカバー付きキーホルダーに装着した場合、キーがキー取付けフックから脱落することが度々であった。
図７に示すキー取付けフック（特許文献２の例）をカバー付きキーホルダーに装着した場合、キー取付けフックからのキーの脱落はないが、カバー付きキーホルダーへの装着部７ｂにおいてキー取付けフックがカバー付きキーホルダーから脱落することがあり、結果的にキーが脱落することがあった。
一方、従来の円形のキーリング（例えば特許文献３の例）では、取付けたキーがキーリングから脱落することがないという際立った長所があるが、形状が円形のためカバー付きキーホルダーに装着するには不向きであった。【０００４】  また、細長い形状でリング状のゼムクリップ（例えば特許文献４の例）は、用紙を挟む必要があるため、第１回巻き部と第２回巻き部とが離れている個所を設けてあり、かつ、弾性力が弱く塑性変形しやすいため、キーリングとして使用するには難点があった。
本考案は、これらの欠点を除き、キーリングをカバー付きキーホルダーに装着が容易で、キーが脱落しにくいキーリングを提供するものである。
【課題を解決するための手段】
【０００５】  上記の目的を達成するため、本考案のキーリングは、弾性を有する針金状の弾性材を、図１及び図２に示すように細長い形状のリング状にほぼ二重に巻いたキーリングである。
【考案の効果】
【０００６】  本考案のキーリングは細長い形状であるため、カバー付きキーホルダーに装着が可能となった。本考案の細長い形状のキーリングは、従来のキーリングと同様、取付けたキーはキーリングから脱落しにくく、同様に、カバー付きキーホルダーに装着したキーリングはカバー付きキーホルダーからも脱落しにくい。本考案のキーリングは針金状の弾性材をほぼ二重に巻いた構造で、構造が簡単である。
このように、簡単な構造でカバー付きキーホルダーへの装着が容易であって、取付けたキーが脱落しにくいキーリングを提供することができた。
【考案を実施するための最良の形態】
【０００７】  本考案によるキーリングは、弾性を有する針金状の弾性材をほぼ二重に巻いたリング状であって、図１及び図２に示すようにリング状の形状が細長い形状であることを特徴とするキーリングである。
以下、本考案によるキーリングの実施例を説明する。
【実施例１】
【０００８】  請求項１による実施例１を図にて説明する。図１は実施例１のキーリングの斜視図である。図２（ａ）は実施例１のキーリングの正面図、図２（ｂ）はその右側面図、図２（ｃ）は図２（ｂ）のＡ−Ａ断面図である。図３は実施例１のキーリングをカバー付きキーホルダーに装着し、キーを取付けた例を示す一部切り欠き斜視図である。【０００９】  図１において、細長い形状のキーリングは、第１回巻き部１ａと第２回巻き部１ｂが隣り合い、第１回巻き部１ａと第２回巻き部１ｂは連続部１ｃを介して連続し、第１回巻き部１ａと第２回巻き部１ｂとが連続部１ｃを介して互いに弾性的に引かれ接触していることを特徴とする。【００１０】  キーリングにキーを取付けるときは、巻き端部１ｄを摘み、キーヘッド開口部に巻き端部１ｄを挿入し、第１回巻き部１ａと第２回巻き部１ｂとの間にできる隙間を連続部１ｃまで滑らせることにより取付ける。【００１１】  図３は実施例１のキーリングをカバー付きキーホルダーに装着した状態を示す。キーリングの構造が簡単なため、キーを取付けたカバー付きキーホルダーがスッキリしている。
【実施例２】
【００１２】  請求項２による実施例２を図にて説明する。図４は実施例２のキーリングの斜視図である。図５は実施例２のキーリングの正面図である。
実施例２のキーリングは、針金状の横断面が円形である針金状の弾性体を、図４に示すように細長いリング状にほぼ二重に巻いた細長い形状のキーリングであって、第１回巻き部２ａと第２回巻き部２ｂとの間に屈曲部２ｃを設け、第１回巻き部２ａと第２回巻き部２ｂとが互いに隣り合うように巻いてあって、屈曲部２ｃにより連続している。屈曲部２ｃを設けることにより、キーリングの高さ２ｈが針金状弾性材の直径の２倍であることを特徴とする。【００１３】  実施例２のキーリングは、取り付けたキーが巻き端部２ｄまたは巻き端部２ｅに引っかかることもなく、取付けたキーの動きがスムーズである。また、実施例１のキーリングの高さ１ｈは針金状弾性材の直径のほぼ３倍であるのに対し、実施例２のキーリングの高さ２ｈは針金状弾性材の直径の２倍で、スペースを省略できるメリットがある。
【実施例３】
【００１４】  請求項３による実施例３については、図は省略するが、実施例１における弾性材の巻き回数がほぼ１，５回以上２．５回以下であるキーリングの例である。
針金状の弾性材の巻き回数は、望ましくは、ほぼ二重とするが、実用的にはほぼ１．５回以上、２．５回以下が適当である。巻き回数が１．５回以下であるとキーリングに取付けたキーがキーリングから脱落しやすくなり、巻き回数が２．５回以上であるとキーリングの高さが高くなり、キーの開口部の動きがスムーズでなくなり、また、キーリングが嵩張り、カバー付きキーホルダーに装着するに難点があるからである
【実施例４】
【００１５】  請求項４による実施例４については、図は省略するが、針金状の弾性材の横断面は、円形に限らず、三角形や四角形などの多角形又は楕円形とした例である。横断面が三角形や四角形などの多角形の場合、角には丸みを付けてある。
【実施例５】
【００１６】  請求項５による実施例５については、図は省略するが、実施例１〜４に使用する針金状弾性材の表面に各種模様を付した例である。
【図面の簡単な説明】
【００１７】
【図１】  本考案実施例１のキーリング斜視図
【図２】  （ａ）本考案実施例１のキーリング正面図  （ｂ）図２（ａ）の側面図  （ｃ）図２（ｂ）のＡ−Ａ断面図
【図３】  本考案実施例１のキーリングをカバー付きキーホルダーに装着し、キーを取付けた状態を示す一部切欠き斜視図
【図４】  本考案実施例２のキーリング斜視図
【図５】  本考案実施例２のキーリング正面図
【図６】  キー取付けフック従来例（特許文献１）の斜視図
【図７】  キー取付けフック従来例（特許文献２）の斜視図
【符号の説明】
【００１８】  １    実施例１のキーリング
１ａ  第１回巻き部
１ｂ  第２回巻き部
１ｃ  連続部
１ｄ  巻き端部
１ｅ  巻き端部
２    実施例３のキーリング
２ａ  第１回巻き部
２ｂ  第２回巻き部
２ｃ  屈曲部
２ｄ  巻き端部
２ｅ  巻き端部
３    カバー付きキーホルダー
４    カバー
５    キー
６    キー取付けフック
６ａ  キー取付け部
６ｂ  キーホルダーへの装着部
７    キー取付けフック
７ａ  キー取付け部
７ｂ  キーホルダーへの装着部
【図１】
0003121635.tif 000003
【図２】
0003121635.tif 000004
【図３】
0003121635.tif 000005
【図４】
0003121635.tif 000006
【図５】
0003121635.tif 000007
【図６】
0003121635.tif 000008
【図７】
0003121635.tif 000009